(57)【要約】【課題】電磁ノイズを吸収する部品を用いることなく、電動工具からの電磁ノイズの放出を低減する。【解決手段】本開示の電動工具は、ノイズ源と、リード線と、阻止部とを備える。ノイズ源は、電磁ノイズを放出する。リード線は、電気信号または電気エネルギーを伝送するように構成される。阻止部は、リード線の少なくとも一部分とノイズ源との間に配置されて、リード線の少なくとも一部分がノイズ源に近付くのを阻止する。【選択図】図３
2020138285.tif 000002
【特許請求の範囲】
【請求項１】
電磁ノイズを放出するノイズ源と、
電気信号または電気エネルギーを伝送するように構成されたリード線と、
前記リード線の少なくとも一部分と前記ノイズ源との間に配置されて、前記リード線の前記少なくとも一部分が前記ノイズ源に近付くのを阻止する阻止部と
を備える電動工具。
【請求項２】
請求項１に記載の電動工具であって、
当該電動工具の外郭を形成して、前記ノイズ源、前記リード線および前記阻止部を収容するように構成された本体ハウジングを備え、
前記本体ハウジングは、受け側ハウジングと、前記受け側ハウジングに対して被せるようにし嵌め合わされる被せ側ハウジングとを備え、
前記阻止部は、前記被せ側ハウジングの内壁から突出するように形成され、
前記阻止部は、前記受け側ハウジングと前記被せ側ハウジングとが嵌め合わされたときに前記ノイズ源と対向するように配置される電動工具。
【請求項３】
請求項１に記載の電動工具であって、
当該電動工具の外郭を形成して、前記ノイズ源、前記リード線および前記阻止部を収容するように構成された本体ハウジングを備え、
前記本体ハウジングは、受け側ハウジングと、前記受け側ハウジングに対して被せるようにし嵌め合わされる被せ側ハウジングとを備え、
前記ノイズ源、前記リード線および前記阻止部は、前記受け側ハウジングに形成された凹部に設置され、
前記凹部の底面に近い方から、前記リード線、前記阻止部、前記ノイズ源の順に配置される電動工具。
【請求項４】
請求項１に記載の電動工具であって、
当該電動工具の外郭を形成して、前記ノイズ源、前記リード線および前記阻止部を収容するように構成された本体ハウジングを備え、
前記本体ハウジングは、受け側ハウジングと、前記受け側ハウジングに対して被せるようにし嵌め合わされる被せ側ハウジングとを備え、
前記ノイズ源、前記リード線および前記阻止部は、前記受け側ハウジングに設置され、
前記阻止部は、前記ノイズ源と対向するように配置される電動工具。
【請求項５】
請求項１に記載の電動工具であって、
当該電動工具を構成する構成要素であり、内部に前記ノイズ源を包含するノイズ源包含部を備え、
前記阻止部は、前記ノイズ源と対向するようにして前記ノイズ源包含部に密着している電動工具。
【請求項６】
請求項１に記載の電動工具であって、
前記阻止部は、前記リード線の周囲を被覆している電動工具。
【請求項７】
請求項１に記載の電動工具であって、
前記ノイズ源は、モールドされ、
前記阻止部は、前記ノイズ源と対向するようにして配置されて、且つ、前記ノイズ源をモールドしているモールド材により固定されている電動工具。
【発明の詳細な説明】
【技術分野】
【０００１】
本開示は、電磁ノイズの発生源を備える電動工具に関する。
【背景技術】
【０００２】
特許文献１には、電動工具から発生する電磁ノイズを低減させるためにフェライトコアをハウジングの内部に設置する技術が記載されている。
【先行技術文献】
【特許文献】
【０００３】
【特許文献１】特開２０１５−２１３９８０号公報
【発明の概要】
【発明が解決しようとする課題】
【０００４】
しかし、特許文献１に記載の技術では、電磁ノイズを吸収する機能を有する特別な部品を追加する必要があるため、電動工具の製造コストが高くなってしまう。
本開示は、電磁ノイズを吸収する部品を用いることなく、電動工具からの電磁ノイズの放出を低減することを目的とする。
【課題を解決するための手段】
【０００５】
本開示の一態様は、ノイズ源と、リード線と、阻止部とを備える電動工具である。ノイズ源は、電磁ノイズを放出する。リード線は、電気信号または電気エネルギーを伝送するように構成される。阻止部は、リード線の少なくとも一部分とノイズ源との間に配置されて、リード線の少なくとも一部分がノイズ源に近付くのを阻止する。
【０００６】
このように構成された本開示の電動工具では、阻止部が、リード線の少なくとも一部分がノイズ源に近付くのを阻止する。このため、本開示の電動工具は、ノイズ源から放出される電磁ノイズがリード線の心線に伝達されてしまう事態の発生を抑制することができる。すなわち、本開示の電動工具は、ノイズ源から放出される電磁ノイズが、電磁ノイズの重畳していないリード線へ伝搬し、そのリード線をアンテナとして放出されてしまう事態の発生を抑制することができる。これにより、本開示の電動工具は、電磁ノイズを吸収する部品を用いることなく、電動工具からの電磁ノイズの放出を低減することができる。
【０００７】
本開示の一態様では、本体ハウジングを備え、本体ハウジングは、受け側ハウジングと、被せ側ハウジングとを備え、阻止部は、被せ側ハウジングの内壁から突出するように形成され、受け側ハウジングと被せ側ハウジングとが嵌め合わされたときに、ノイズ源と対向するように設置されているようにしてもよい。本体ハウジングは、当該電動工具の外郭を形成して、ノイズ源、リード線および阻止部を収容するように構成される。被せ側ハウジングは、受け側ハウジングに対して被せるようにし嵌め合わされる。
【０００８】
これにより、本開示の電動工具は、被せ側ハウジングが受け側ハウジングに被せられる前にリード線とノイズ源とが対向していたとしても、被せ側ハウジングを受け側ハウジングに被せることにより、ノイズ源に対向していたリード線を阻止部により押し出すことができる。このため、本開示の電動工具は、ノイズ源とリード線とが隔てられているようにリード線を配置することができ、電磁ノイズを吸収する部品を用いることなく、電動工具からの電磁ノイズの放出を低減することができる。
【０００９】
本開示の一態様では、本体ハウジングを備え、本体ハウジングは、受け側ハウジングと、被せ側ハウジングとを備え、凹部の底面に近い方から、リード線、阻止部、ノイズ源の順に配置されるようにしてよい。凹部は、受け側ハウジングに形成される。
【００１０】
これにより、本開示の電動工具は、リード線がノイズ源に接近するのを阻止部により阻止することができる。このため、本開示の電動工具は、電磁ノイズを吸収する部品を用いることなく、電動工具からの電磁ノイズの放出を低減することができる。
【００１１】
本開示の一態様では、本体ハウジングを備え、本体ハウジングは、受け側ハウジングと、被せ側ハウジングとを備え、ノイズ源、リード線および阻止部は、受け側ハウジングに設置され、阻止部は、ノイズ源と対向するように配置されるようにしてもよい。
【００１２】
これにより、本開示の電動工具は、リード線がノイズ源に接近するのを阻止部により阻止することができる。このため、本開示の電動工具は、電磁ノイズを吸収する部品を用いることなく、電動工具からの電磁ノイズの放出を低減することができる。
【００１３】
本開示の一態様では、当該電動工具を構成する構成要素であり、内部にノイズ源を包含するノイズ源包含部を備え、阻止部は、ノイズ源と対向するようにしてノイズ源包含部に密着しているようにしてもよい。これにより、本開示の電動工具は、阻止部によって、ノイズ源とリード線とが隔てられているようにリード線を配置することができる。このため、本開示の電動工具は、電磁ノイズを吸収する部品を用いることなく、電動工具からの電磁ノイズの放出を低減することができる。
【００１４】
本開示の一態様では、阻止部は、リード線の周囲を被覆しているようにしてもよい。これにより、本開示の電動工具は、阻止部によって、ノイズ源とリード線とが隔てられているようにリード線を配置することができる。このため、本開示の電動工具は、電磁ノイズを吸収する部品を用いることなく、電動工具からの電磁ノイズの放出を低減することができる。
【００１５】
本開示の一態様では、ノイズ源は、モールドされ、阻止部は、ノイズ源と対向するようにして配置されて、且つ、ノイズ源をモールドしているモールド材により固定されているようにしてもよい。これにより、本開示の電動工具は、阻止部によって、ノイズ源とリード線とが隔てられているようにリード線を配置することができる。このため、本開示の電動工具は、電磁ノイズを吸収する部品を用いることなく、電動工具からの電磁ノイズの放出を低減することができる。
【図面の簡単な説明】
【００１６】
【図１】第１実施形態の電動工具の構成を示す断面図である。
【図２】第１実施形態の被せ側ハウジングの内部構造を示す斜視図である。
【図３】第１実施形態のコントローラおよびリブの斜視図である。
【図４】第２実施形態の電動工具の構成を示す断面図である。
【図５】第２実施形態の被せ側ハウジングの内部構造を示す斜視図である。
【図６】第２実施形態のコントローラおよびリブの斜視図である。
【図７】第３実施形態において受け側ハウジングと被せ側ハウジングとを嵌め合わせる前後の状態を示す図である。
【図８】第４実施形態のリブ、コントローラおよびリード線の配置を示す斜視図である。
【図９】第５実施形態のリブ、コントローラおよびリード線の配置を示す正面図である。
【図１０】第６実施形態のスペーサ、コントローラおよびリード線の配置を示す斜視図である。
【図１１】第７実施形態のコントローラケース、コントローラおよびリード線の配置を示す図である。
【図１２】第８実施形態のコントローラケース、コントローラ、スペーサおよびリード線の配置を示す図である。
【図１３】第９実施形態の電動工具の概略構成を示す図である。
【図１４】第１０実施形態の電動工具の概略構成を示す図である。
【図１５】第１１実施形態の電動工具の概略構成を示す図である。
【図１６】第１２実施形態の電動工具の概略構成を示す図である。
【図１７】第１３実施形態の一体型モータおよびスペーサの正面図である。
【図１８】第１３実施形態の一体型モータおよびスペーサの側面図である。
【図１９】別の実施形態のリブ、コントローラおよびリード線の配置を示す平面図である。
【図２０】別の実施形態のリブ、コントローラおよびリード線の配置を示す断面図である。
【図２１】別の実施形態のスペーサ、コントローラおよびリード線の配置を示す斜視図である。
【発明を実施するための形態】
【００１７】
（第１実施形態）
以下に本開示の第１実施形態を図面とともに説明する。
本実施形態の電動工具１は、図１に示すように、本体ハウジング２と、バッテリパック３と、モータ４と、動力伝達機構５と、コントローラ６と、先端工具７と、複数のリード線８とを備える。なお、リード線８は、図１に示しておらず、図３に示している。
【００１８】
電動工具１は、電動工具１に着脱可能に取り付けられる先端工具７を往復動作させることで、被加工材（例えば、コンクリート）に対しハツリ作業を行うために用いられる。
本体ハウジング２は、電動工具１の外郭を形成している。そして本体ハウジング２は、受け側ハウジング１１と、被せ側ハウジング１２とにより形成される。すなわち、本体ハウジング２は、受け側ハウジング１１に対して被せ側ハウジング１２を被せるようにして嵌め合わせることにより、モータ４、動力伝達機構５、コントローラ６およびリード線８を内部に収容する。なお、被せ側ハウジング１２は、図１に示しておらず、図２に示している。また、本体ハウジング２には、先端工具７が取り付けられる側とは反対側において、作業者に把持される把持部１４が形成されている。把持部１４には、作業者が把持部１４を把持した状態で電動工具１の駆動指令を入力するためのトリガスイッチ１５が設けられている。
【００１９】
また本体ハウジング２には、領域Ｒ１，Ｒ２に、空気を内部に取り込むための吸気口が形成されている。これにより、吸気口から流入した空気は、流通経路ＣＰで示すように、本体ハウジング２の内部を流通する。
【００２０】
バッテリパック３は、本体ハウジング２に着脱可能に装着されて、モータ４およびコントローラ６に直流電源を供給する。
モータ４は、バッテリパック３からの電源供給を受けて回転して、先端工具７を駆動させる駆動力を発生させる。
【００２１】
動力伝達機構５は、モータ４の回転を往復動に変換して先端工具７に伝達する。
コントローラ６は、作業者がトリガスイッチ１５を操作することにより入力される駆動指令に従い、モータ４の駆動を制御する。
【００２２】
リード線８は、本体ハウジング２に収容されている構成要素に接続されて、構成要素間で電気信号を伝送する。
被せ側ハウジング１２は、図２に示すように、被せ側ハウジング１２の内壁１２ａから突出するように形成されたリブ２１を備える。コントローラ６は、図３に示すように、ＣＰＵ、ＲＯＭおよびＲＡＭ等を備えたマイクロコンピュータ（以下、マイコン）６ａを内蔵している。
【００２３】
リブ２１は、受け側ハウジング１１と被せ側ハウジング１２とが嵌め合わされた状態では、コントローラ６の表面においてマイコン６ａと対向するように配置される。これにより、マイコン６ａと対向した状態でコントローラ６の表面に接触していたリード線８がリブ２１によって押し出される。このようにして、リード線８がマイコン６ａと対向しないようにすることができる。
【００２４】
このように構成された電動工具１は、マイコン６ａと、リード線８と、リブ２１とを備える。マイコン６ａは、電磁ノイズを放出する。リード線８は、電気信号を伝送するように構成される。リブ２１は、リード線８の少なくとも一部分とマイコン６ａとの間に配置されて、リード線８の少なくとも一部分がマイコン６ａに近付くのを阻止する。
【００２５】
このように電動工具１では、リブ２１が、リード線８の少なくとも一部分がマイコン６ａに近付くのを阻止する。このため、電動工具１は、マイコン６ａで発生した電磁ノイズがリード線８の心線に伝達されてしまう事態の発生を抑制することができる。すなわち、電動工具１は、マイコン６ａから放出される電磁ノイズが、電磁ノイズの重畳していないリード線８へ伝搬し、そのリード線８をアンテナとして放出されてしまう事態の発生を抑制することができる。これにより、電動工具１は、電磁ノイズを吸収する部品を用いることなく、電動工具１からの電磁ノイズの放出を低減することができる。
【００２６】
また電動工具１は、本体ハウジング２を備える。本体ハウジング２は、電動工具１の外郭を形成して、マイコン６ａ、リード線８およびリブ２１を収容する。本体ハウジング２は、受け側ハウジング１１と、被せ側ハウジング１２とを備える。被せ側ハウジング１２は、受け側ハウジング１１に対して被せるようにし嵌め合わされる。リブ２１は、被せ側ハウジング１２の内壁１２ａから突出するように形成される。リブ２１は、受け側ハウジング１１と被せ側ハウジング１２とが嵌め合わされたときに、マイコン６ａと対向するように設置されている。
【００２７】
これにより、電動工具１は、被せ側ハウジング１２が受け側ハウジング１１に被せられる前にリード線８とマイコン６ａとが対向していたとしても、被せ側ハウジング１２を受け側ハウジング１１に被せることにより、マイコン６ａと対向していたリード線８をリブ２１により押し出すことができる。このため、電動工具１は、マイコン６ａとリード線８とが隔てられているようにリード線８を配置することができ、電磁ノイズを吸収する部品を用いることなく、電動工具１からの電磁ノイズの放出を低減することができる。
【００２８】
以上説明した実施形態において、マイコン６ａはノイズ源に相当し、リブ２１は阻止部に相当する。
（第２実施形態）
以下に本開示の第２実施形態を図面とともに説明する。
【００２９】
本実施形態の電動工具５１は、図４に示すように、本体ハウジング５２と、バッテリパック５３と、モータ５４と、動力伝達機構５５と、コントローラ５６と、先端工具５７と、複数のリード線５８とを備える。なお、リード線５８は、図４に示しておらず、図６に示している。
【００３０】
電動工具５１は、電動工具５１に着脱可能に取り付けられる先端工具５７を往復動作させることで、被加工材（例えば、木材）に対し切断作業を行うために用いられる。
本体ハウジング５２は、電動工具５１の外郭を形成している。そして本体ハウジング５２は、受け側ハウジング６１と、被せ側ハウジング６２とにより形成される。すなわち、本体ハウジング５２は、受け側ハウジング６１に対して被せ側ハウジング６２を被せるようにして嵌め合わせることにより、モータ５４、動力伝達機構５５、コントローラ５６およびリード線５８を内部に収容する。なお、被せ側ハウジング６２は、図４に示しておらず、図５に示している。また、本体ハウジング５２には、先端工具５７が取り付けられる側とは反対側において、作業者に把持される把持部６４が形成されている。把持部６４には、作業者が把持部６４を把持した状態で電動工具５１の駆動指令を入力するためのトリガスイッチ６５が設けられている。
【００３１】
バッテリパック５３は、本体ハウジング５２に着脱可能に装着されて、モータ５４およびコントローラ５６に直流電源を供給する。
モータ５４は、バッテリパック５３からの電源供給を受けて回転して、先端工具５７を駆動させる駆動力を発生させる。
【００３２】
動力伝達機構５５は、モータ５４の回転を往復動に変換して先端工具５７に伝達する。
コントローラ５６は、作業者がトリガスイッチ６５を操作することにより入力される駆動指令に従い、モータ５４の駆動を制御する。
【００３３】
リード線５８は、本体ハウジング５２に収容されている構成要素に接続されて、構成要素間で電気信号を伝送する。
被せ側ハウジング６２は、図５に示すように、被せ側ハウジング６２の内壁６２ａから突出するように形成されたリブ７１を備える。コントローラ５６は、図６に示すように、ＣＰＵ、ＲＯＭおよびＲＡＭ等を備えたマイコン５６ａを内蔵している。
【００３４】
リブ７１は、受け側ハウジング６１と被せ側ハウジング６２とが嵌め合わされた状態では、コントローラ５６の表面においてマイコン５６ａと対向するように配置される。これにより、マイコン５６ａと対向した状態でコントローラ５６の表面に接触していたリード線５８がリブ７１によって押し出される。このようにして、リード線５８がマイコン５６ａと対向しないようにすることができる。
【００３５】
このように構成された電動工具１は、マイコン５６ａと、リード線５８と、リブ７１とを備える。マイコン５６ａは、電磁ノイズを放出する。リード線５８は、電気信号を伝送するように構成される。リブ７１は、リード線５８の少なくとも一部分とマイコン５６ａとの間に配置されて、リード線５８の少なくとも一部分がマイコン５６ａに近付くのを阻止する。
【００３６】
このように電動工具５１では、リブ７１が、リード線５８の少なくとも一部分がマイコン５６ａに近付くのを阻止する。このため、電動工具５１は、マイコン５６ａで発生した電磁ノイズがリード線５８の心線に伝達されてしまう事態の発生を抑制することができる。すなわち、電動工具５１は、マイコン５６ａから放出される電磁ノイズが、電磁ノイズの重畳していないリード線５８へ伝搬し、そのリード線５８をアンテナとして放出されてしまう事態の発生を抑制することができる。これにより、電動工具５１は、電磁ノイズを吸収する部品を用いることなく、電動工具５１からの電磁ノイズの放出を低減することができる。
【００３７】
また電動工具５１は、本体ハウジング５２を備える。本体ハウジング５２は、電動工具５１の外郭を形成して、マイコン５６ａ、リード線５８およびリブ７１を収容する。本体ハウジング５２は、受け側ハウジング６１と、被せ側ハウジング６２とを備える。被せ側ハウジング６２は、受け側ハウジング６１に対して被せるようにし嵌め合わされる。リブ７１は、被せ側ハウジング６２の内壁６２ａから突出するように形成される。リブ７１は、受け側ハウジング６１と被せ側ハウジング６２とが嵌め合わされたときに、マイコン５６ａと対向するように設置されている。
【００３８】
これにより、電動工具５１は、被せ側ハウジング６２が受け側ハウジング６１に被せられる前にリード線５８とマイコン５６ａとが対向していたとしても、被せ側ハウジング６２を受け側ハウジング６１に被せることにより、マイコン５６ａと対向していたリード線５８をリブ７１により押し出すことができる。このため、電動工具５１は、マイコン５６ａとリード線５８とが隔てられているようにリード線５８を配置することができ、電磁ノイズを吸収する部品を用いることなく、電動工具５１からの電磁ノイズの放出を低減することができる。
【００３９】
以上説明した実施形態において、マイコン５６ａはノイズ源に相当し、リブ７１は阻止部に相当する。
（第３実施形態）
以下に本開示の第３実施形態を図面とともに説明する。
【００４０】
本実施形態の電動工具１０１は、図７に示すように、本体ハウジング１０２と、モータ１０３と、コントローラ１０４と、複数のリード線１０５とを備える。
本体ハウジング１０２は、電動工具１０１の外郭を形成している。そして本体ハウジング１０２は、受け側ハウジング１１１と、被せ側ハウジング１１２とにより形成される。すなわち、本体ハウジング１０２は、受け側ハウジング１１１に対して被せ側ハウジング１１２を被せるようにして嵌め合わせることにより、モータ１０３、コントローラ１０４およびリード線１０５を内部に収容する。
【００４１】
モータ１０３は、電動工具１０１に装着されたバッテリパックからの電源供給を受けて回転して、電動工具１０１に取り付けられた先端工具を駆動させる駆動力を発生させる。
コントローラ１０４は、ＣＰＵ、ＲＯＭおよびＲＡＭ等を備えたマイクロコンピュータ１３１（以下、マイコン１３１）を中心に構成されている。コントローラ１０４は、作業者がトリガスイッチを操作することにより入力される駆動指令に従い、モータ１０３の駆動を制御する。
【００４２】
リード線１０５は、本体ハウジング１０２に収容されている構成要素に接続されて、構成要素間で電気信号を伝送する。
受け側ハウジング１１１は、凹部１１６と、リブ１１７とを備える。凹部１１６は、モータ１０３と、電動工具１０１に取り付けられる先端工具にモータ１０３の駆動力を伝達する動力伝達機構とを内部に収納するために窪んだ形状を有する。リブ１１７は、凹部１１６の内壁から凹部１１６の外部へ突出するように形成された板状の部材である。リブ１１７の表面において凹部１１６の外部となる領域にコントローラ１０４が設置される。
【００４３】
被せ側ハウジング１１２は、被せ側ハウジング１１２の内壁１１２ａから突出するように形成されたリブ１２１を備える。リブ１２１は、受け側ハウジング１１１と被せ側ハウジング１１２とが嵌め合わされた状態では、コントローラ１０４内に搭載されているマイコン１３１と対向するように配置される。これにより、マイコン１３１と対向するようにしてコントローラ１０４の表面に接触していたリード線１０５がリブ１２１によって押し出される。このようにして、コントローラ１０４の表面においてリード線１０５がマイコン１３１と対向するようにして接触しないようにすることができる。
【００４４】
このように構成された電動工具１０１は、マイコン１３１と、リード線１０５と、リブ１２１とを備える。マイコン１３１は、電磁ノイズを放出する。リード線１０５は、電気信号を伝送するように構成される。リブ１２１は、リード線１０５の少なくとも一部分とマイコン１３１との間に配置されて、リード線１０５の少なくとも一部分がマイコン１３１に近付くのを阻止する。
【００４５】
このように電動工具１０１では、リブ１２１が、リード線１０５の少なくとも一部分がマイコン１３１に近付くのを阻止する。このため、電動工具１０１は、マイコン１３１で発生した電磁ノイズがリード線１０５の心線に伝達されてしまう事態の発生を抑制することができる。すなわち、電動工具１０１は、マイコン１３１から放出される電磁ノイズが、電磁ノイズの重畳していないリード線１０５へ伝搬し、そのリード線１０５をアンテナとして放出されてしまう事態の発生を抑制することができる。これにより、電動工具１０１は、電磁ノイズを吸収する部品を用いることなく、電動工具１０１からの電磁ノイズの放出を低減することができる。
【００４６】
また電動工具１０１は、本体ハウジング１０２を備える。本体ハウジング１０２は、電動工具１０１の外郭を形成して、コントローラ１０４、リード線１０５およびリブ１２１を収容する。本体ハウジング１０２は、受け側ハウジング１１１と、被せ側ハウジング１１２とを備える。被せ側ハウジング１１２は、受け側ハウジング１１１に対して被せるようにし嵌め合わされる。リブ１２１は、被せ側ハウジング１１２の内壁１１２ａから突出するように形成される。リブ１２１は、受け側ハウジング１１１と被せ側ハウジング１１２とが嵌め合わされたときに、マイコン１３１と対向するように設置されている。
【００４７】
これにより、電動工具１０１は、被せ側ハウジング１１２が受け側ハウジング１１１に被せられる前にリード線１０５とマイコン１３１とが対向していたとしても、被せ側ハウジング１１２を受け側ハウジング１１１に被せることにより、マイコン１３１に対向していたリード線１０５をリブ１２１により押し出すことができる。このため、電動工具１０１は、マイコン１３１とリード線１０５とが隔てられているようにリード線１０５を配置することができ、電磁ノイズを吸収する部品を用いることなく、電動工具１０１からの電磁ノイズの放出を低減することができる。
【００４８】
以上説明した実施形態において、マイコン１３１はノイズ源に相当し、リブ１２１は阻止部に相当する。
（第４実施形態）
以下に本開示の第４実施形態を図面とともに説明する。なお第４実施形態では、第２実施形態と異なる部分を説明する。共通する構成については同一の符号を付す。
【００４９】
第４実施形態の電動工具５１は、リブ７１を省略した点と、リブ７３を追加した点とが第２実施形態と異なる。
図８に示すように、受け側ハウジング６１には、コントローラ５６を収容するための凹部８１が形成されている。この凹部８１は、側面８１ａと、側面８１ｂと、底面８１ｃとにより形成されている。側面８１ａと側面８１ｂとは互いに対向するようにして配置される。底面８１ｃは、側面８１ａと側面８１ｂとを連結し、凹部８１の底を形成する。
【００５０】
側面８１ａには、コントローラ５６の裏面が接触するようにしてコントローラ５６が設置される。
そしてリブ７３は、側面８１ｂからコントローラ５６の表面へ向かって突出するように形成される。またリブ７３は、マイコン５６ａと、底面８１ｃとの間に位置するように形成される。これにより、リブ７３は、リブ７３と底面８１ｃとの間に設置されているリード線５８がマイコン５６ａに接近する方向へ移動するのを阻止することができる。
【００５１】
このように構成された電動工具５１では、マイコン５６ａ、リード線５８およびリブ７３は、凹部８１に設置され、凹部８１の底面８１ｃに近い方から、リード線５８、リブ７３、マイコン５６ａの順に配置される。これにより、電動工具５１は、リード線５８がマイコン５６ａに接近するのをリブ７３により阻止することができる。このため、電動工具５１は、電磁ノイズを吸収する部品を用いることなく、電動工具５１からの電磁ノイズの放出を低減することができる。
【００５２】
以上説明した実施形態において、リブ７３は阻止部に相当する。
（第５実施形態）
以下に本開示の第５実施形態を図面とともに説明する。なお第５実施形態では、第２実施形態と異なる部分を説明する。共通する構成については同一の符号を付す。
【００５３】
第５実施形態の電動工具５１は、リブ７１を省略した点と、リブ７５を追加した点とが第２実施形態と異なる。
図９に示すように、電動工具５１は、受け側ハウジング６１の内壁から突出し、コントローラ５６内に搭載されているマイコン５６ａと対向するように配置されるリブ７５を備える。
【００５４】
リブ７５は、リブ７５が突出する突出方向に対して垂直な方向の断面がＬ字状に形成された部材であり、コントローラ５６の表面に対して平行に配置された平行部７５ａと、コントローラ５６の表面に対して垂直に配置された垂直部７５ｂとを連結した形状を有している。そしてリブ７５は、垂直部７５ｂが平行部７５ａからコントローラ５６の表面へ向かって突出するように形成されている。
【００５５】
また、コントローラ５６の表面付近に配置されているリード線５８は、コントローラ５６とリブ７５との間にリード線５８が存在しないようにリブ７５を迂回して設置される。
このように構成された電動工具５１では、マイコン５６ａ、リード線５８およびリブ７５は、受け側ハウジング６１に設置され、リブ７５は、コントローラ５６のマイコン５６ａと対向するように配置される。
【００５６】
これにより、電動工具５１は、リード線５８がマイコン５６ａに接近するのをリブ７５により阻止することができる。このため、電動工具５１は、電磁ノイズを吸収する部品を用いることなく、電動工具５１からの電磁ノイズの放出を低減することができる。
【００５７】
以上説明した実施形態において、リブ７５は位置決め部に相当する。
（第６実施形態）
以下に本開示の第６実施形態を図面とともに説明する。なお第６実施形態では、第１実施形態と異なる部分を説明する。共通する構成については同一の符号を付す。
【００５８】
第６実施形態の電動工具１は、リブ２１を省略した点と、スペーサ４１を追加した点とが第１実施形態と異なる。
スペーサ４１は、金属または樹脂で形成された板状の部材であり、図１０に示すように、マイコン６ａと対向するようにしてコントローラ６の表面に貼り付けられている。これにより、電動工具１は、リード線８がマイコン６ａに接近するのをスペーサ４１により阻止することができる。
【００５９】
このように構成された電動工具１は、当該電動工具１を構成する構成要素であり、内部にマイコン６ａを包含するコントローラ６を備える。そしてスペーサ４１は、マイコン６ａと対向するようにしてコントローラ６に密着している。これにより、電動工具１は、スペーサ４１によって、マイコン６ａとリード線８とが隔てられているようにリード線８を配置することができる。このため、電動工具１は、電磁ノイズを吸収する部品を用いることなく、電動工具１からの電磁ノイズの放出を低減することができる。
【００６０】
以上説明した実施形態において、コントローラ６はノイズ源包含部に相当し、スペーサ４１は阻止部に相当する。
（第７実施形態）
以下に本開示の第７実施形態を図面とともに説明する。なお第７実施形態では、第２実施形態と異なる部分を説明する。共通する構成については同一の符号を付す。
【００６１】
第７実施形態の電動工具５１は、リブ７１を省略した点と、コントローラケース７７を追加した点とが第２実施形態と異なる。
コントローラケース７７は、図１１に示すように、金属で、上部が開口された略箱状に形成されており、内部にコントローラ５６を収容する。また、コントローラケース７７の内部には、モールド材７８が充填されている。これにより、コントローラ５６は、コントローラケース７７の内部に封止される。そして、コントローラ５６に接続されているリード線５８は、コントローラケース７７の上方ではなく下方を通るように設置される。
【００６２】
（第８実施形態）
以下に本開示の第８実施形態を図面とともに説明する。なお第８実施形態では、第２実施形態と異なる部分を説明する。共通する構成については同一の符号を付す。
【００６３】
第８実施形態の電動工具５１は、リブ７１を省略した点と、コントローラケース７７を追加した点と、スペーサ４３を追加した点とが第２実施形態と異なる。
コントローラケース７７は、図１２に示すように、金属で、上部が開口された略箱状に形成されており、内部にコントローラ５６を収容する。また、コントローラケース７７の内部には、モールド材７８が充填されている。これにより、コントローラ５６は、コントローラケース７７の内部に封止される。
【００６４】
スペーサ４３は、コントローラ５６の表面に対して垂直な断面がＵ字状に形成された部材であり、コントローラ５６の表面に対して平行に配置された平行部４３ａと、コントローラ５６の表面に対して垂直に配置された垂直部４３ｂ，４３ｃとを連結した形状を有している。そしてスペーサ４３は、垂直部４３ｂ，４３ｃが平行部４３ａからコントローラ５６の表面へ向かって突出するように形成されている。さらにスペーサ４３は、平行部４３ａがマイコン５６ａと対向するように配置され、垂直部４３ｂ，４３ｃの端部がモールド材７８内に配置される。これにより、スペーサ４３は、マイコン５６ａを覆うようにして、コントローラケース７７に固定される。
【００６５】
これにより、コントローラ５６の表面付近に配置されているリード線５８は、コントローラ５６とスペーサ４３との間にリード線５８が存在しないようにスペーサ４３を迂回して設置される。
【００６６】
このように構成された電動工具５１では、マイコン５６ａは、モールドされ、スペーサ４３は、マイコン５６ａと対向するようにして配置されて、且つ、マイコン５６ａをモールドしているモールド材７８により固定されている。これにより、電動工具５１は、スペーサ４３によって、マイコン５６ａとリード線５８とが隔てられているようにリード線５８を配置することができる。このため、電動工具５１は、電磁ノイズを吸収する部品を用いることなく、電動工具５１からの電磁ノイズの放出を低減することができる。
【００６７】
以上説明した実施形態において、スペーサ４３は阻止部に相当する。
（第９実施形態）
以下に本開示の第９実施形態を図面とともに説明する。
【００６８】
第９実施形態の電動工具２０１は、図１３に示すように、本体ハウジング２０２と、バッテリパック２０３と、一体型モータ２０４と、スイッチ２０５と、リード線２０６，２０７とを備える。
【００６９】
本体ハウジング２０２は、電動工具２０１の外郭を形成している。そして本体ハウジング２０２は、受け側ハウジング２１１と、被せ側ハウジングとにより形成される。すなわち、本体ハウジング２０２は、受け側ハウジング２１１に対して被せ側ハウジングを被せるようにして嵌め合わせることにより、一体型モータ２０４、スイッチ２０５およびリード線２０６，２０７を内部に収容する。なお、図１３は、受け側ハウジング２１１を示しているが被せ側ハウジングを示していない。
【００７０】
バッテリパック２０３は、本体ハウジング２０２に着脱可能に装着されて、一体型モータ２０４に直流電源を供給する。
一体型モータ２０４は、バッテリパック２０３からの電源供給を受けて回転して、図示しない先端工具を駆動させる駆動力を発生させる。一体型モータ２０４は、モータの構成部品を内部に収容する金属ケース２１６を備える。このため、金属ケース２１６の内部に収容されているモータ構成部品から放出された電磁ノイズは金属ケース２１６に伝搬する。
【００７１】
スイッチ２０５は、バッテリパック２０３と一体型モータ２０４との間の通電経路に設置される。そしてスイッチ２０５は、バッテリパック２０３と一体型モータ２０４との間で電流が流れるオン状態と、バッテリパック２０３と一体型モータ２０４との間で電流が流れないオフ状態との何れかの状態になるように駆動される。
【００７２】
リード線２０６は、一体型モータ２０４の＋端子とスイッチ２０５との間を電気的に接続する。リード線２０７は、一体型モータ２０４の−端子とスイッチ２０５との間を電気的に接続する。
【００７３】
受け側ハウジング２１１は、受け側ハウジング２１１の内壁から突出するように形成されたリブ２２１，２２２，２２３，２２４，２２５を備える。
リブ２２１，２２２，２２３は、金属ケース２１６において＋端子および−端子が設置されている端子設置面２１６ａに対向し、且つ、端子設置面２１６ａに対して平行な方向に沿って整列するように配置される。
【００７４】
リブ２２４，２２５は、リブ２２１，２２２，２２３よりも端子設置面２１６ａから遠く、且つ、端子設置面２１６ａに対して垂直な方向に沿って整列するように配置される。
そしてリード線２０６は、＋端子から、リブ２２１とリブ２２２との間を通り、更に、リブ２２４とリブ２２５との間を通って、スイッチ２０５に至るように延びている。リード線２０７は、−端子から、リブ２２２とリブ２２３との間を通り、更に、リブ２２４とリブ２２５との間を通って、スイッチ２０５に至るように延びている。
【００７５】
このように構成された電動工具２０１は、一体型モータ２０４と、リード線２０６，２０７と、リブ２２４，２２５とを備える。一体型モータ２０４は、電磁ノイズを放出する。リード線２０６，２０７は、電気エネルギーを伝送するように構成される。リブ２２４，２２５は、リード線２０６，２０７の少なくとも一部分と一体型モータ２０４との間に配置されて、リード線２０６，２０７の少なくとも一部分が一体型モータ２０４に近付くのを阻止する。
【００７６】
このように電動工具２０１では、リブ２２４，２２５が、リード線２０６，２０７の少なくとも一部分が一体型モータ２０４に近付くのを阻止する。このため、電動工具２０１は、一体型モータ２０４で発生した電磁ノイズがリード線２０６，２０７の心線に伝達されてしまう事態の発生を抑制することができる。すなわち、電動工具２０１は、一体型モータ２０４から放出される電磁ノイズが、電磁ノイズの重畳していないリード線２０６，２０７へ伝搬し、そのリード線２０６，２０７をアンテナとして放出されてしまう事態の発生を抑制することができる。これにより、電動工具２０１は、電磁ノイズを吸収する部品を用いることなく、電動工具２０１からの電磁ノイズの放出を低減することができる。
【００７７】
以上説明した実施形態において、一体型モータ２０４はノイズ源に相当し、リブ２２４，２２５は阻止部に相当する。
（第１０実施形態）
以下に本開示の第１０実施形態を図面とともに説明する。
【００７８】
第１０実施形態の電動工具２５１は、図１４に示すように、本体ハウジング２５２と、バッテリパック２５３と、カーボンブラシ付きモータ２５４と、スイッチ２５５と、リード線２５６，２５７とを備える。
【００７９】
本体ハウジング２５２は、電動工具２５１の外郭を形成している。そして本体ハウジング２５２は、受け側ハウジング２６１と、被せ側ハウジングとにより形成される。すなわち、本体ハウジング２５２は、受け側ハウジング２６１に対して被せ側ハウジングを被せるようにして嵌め合わせることにより、カーボンブラシ付きモータ２５４、スイッチ２５５およびリード線２５６，２５７を内部に収容する。なお、図１４は、受け側ハウジング２６１を示しているが被せ側ハウジングを示していない。
【００８０】
バッテリパック２５３は、本体ハウジング２５２に着脱可能に装着されて、カーボンブラシ付きモータ２５４に直流電源を供給する。
カーボンブラシ付きモータ２５４は、バッテリパック２５３からの電源供給を受けて回転して、図示しない先端工具を駆動させる駆動力を発生させる。カーボンブラシ付きモータ２５４は、カーボンブラシ２６６とコミュテータ２６７とを備える。カーボンブラシ付きモータ２５４は、カーボンブラシ２６６とコミュテータ２６７との間で発生する整流火花によって電磁ノイズを放出する。すなわち、カーボンブラシ２６６およびコミュテータ２６７はノイズ源である。
【００８１】
スイッチ２５５は、バッテリパック２５３とカーボンブラシ付きモータ２５４との間の通電経路に設置される。そしてスイッチ２５５は、バッテリパック２５３とカーボンブラシ付きモータ２５４との間で電流が流れるオン状態と、バッテリパック２５３とカーボンブラシ付きモータ２５４との間で電流が流れないオフ状態との何れかの状態になるように駆動される。
【００８２】
リード線２５６は、カーボンブラシ付きモータ２５４の＋端子とスイッチ２５５との間を電気的に接続する。リード線２５７は、カーボンブラシ付きモータ２５４の−端子とスイッチ２５５との間を電気的に接続する。
【００８３】
受け側ハウジング２６１は、受け側ハウジング２６１の内壁から突出するように形成されたリブ２７１，２７２，２７３，２７４，２７５，２７６を備える。
リブ２７１，２７２，２７３，２７４は、カーボンブラシ２６６において＋端子および−端子が設置されている端子設置面２６６ａに対向し、且つ、端子設置面２６６ａに対して平行な方向に沿って整列するように配置される。
【００８４】
リブ２７５，２７６は、リブ２７１，２７２，２７３，２７４よりも端子設置面２６６ａから遠く、且つ、端子設置面２６６ａに対して垂直な方向に沿って整列するように配置される。
【００８５】
そしてリード線２５６は、＋端子から、リブ２７１とリブ２７２との間を通り、更に、リブ２７５とリブ２７６との間を通って、スイッチ２５５に至るように延びている。リード線２５７は、−端子から、リブ２７３とリブ２７４との間を通り、更に、リブ２７５とリブ２７６との間を通って、スイッチ２５５に至るように延びている。
【００８６】
このように構成された電動工具２５１は、カーボンブラシ２６６およびコミュテータ２６７と、リード線２５６，２５７と、リブ２７５，２７６とを備える。カーボンブラシ２６６およびコミュテータ２６７は、電磁ノイズを放出する。リード線２５６，２５７は、電気エネルギーを伝送するように構成される。リブ２７５，２７６は、リード線２５６，２５７の少なくとも一部分とカーボンブラシ２６６およびコミュテータ２６７との間に配置されて、リード線２５６，２５７の少なくとも一部分がカーボンブラシ２６６およびコミュテータ２６７に近付くのを阻止する。
【００８７】
このように電動工具２５１では、リブ２７５，２７６が、リード線２５６，２５７の少なくとも一部分がカーボンブラシ２６６およびコミュテータ２６７に近付くのを阻止する。これにより、電動工具２５１は、電磁ノイズを吸収する部品を用いることなく、電動工具２５１からの電磁ノイズの放出を低減することができる。
【００８８】
以上説明した実施形態において、カーボンブラシ２６６およびコミュテータ２６７はノイズ源に相当し、リブ２７５，２７６は阻止部に相当する。
（第１１実施形態）
以下に本開示の第１１実施形態を図面とともに説明する。
【００８９】
第１１実施形態の電動工具３０１は、図１５に示すように、本体ハウジング３０２と、一体型モータ３０３と、リード線３０４，３０５とを備える。
本体ハウジング３０２は、電動工具３０１の外郭を形成している。そして本体ハウジング３０２は、受け側ハウジング３１１と、被せ側ハウジングとにより形成される。すなわち、本体ハウジング３０２は、受け側ハウジング３１１に対して被せ側ハウジングを被せるようにして嵌め合わせることにより、一体型モータ３０３およびリード線３０４，３０５を内部に収容する。なお、図１５は、受け側ハウジング３１１を示しているが被せ側ハウジングを示していない。
【００９０】
一体型モータ３０３は、図示しないバッテリパックからの電源供給を受けて回転して、図示しない先端工具を駆動させる駆動力を発生させる。一体型モータ３０３は、モータの構成部品を内部に収容する金属ケース３１６を備える。このため、金属ケース３１６の内部に収容されているモータ構成部品から放出された電磁ノイズは金属ケース３１６に伝搬する。
【００９１】
リード線３０４は、一端が一体型モータ３０３の＋端子に接続される。リード線３０５は、一端が一体型モータ３０３の−端子に接続される。
受け側ハウジング３１１は、受け側ハウジング３１１の内壁から突出するように形成されたリブ３２１，３２２を備える。リブ３２１，３２２は、リブ３２１とリブ３２２との間に金属ケース３１６が位置するように設置される。
【００９２】
このように構成された電動工具３０１は、一体型モータ３０３と、リード線３０４，３０５と、リブ３２１，３２２とを備える。一体型モータ３０３は、電磁ノイズを放出する。リード線３０４，３０５は、電気エネルギーを伝送するように構成される。リブ３２１，３２２は、リード線３０４，３０５の少なくとも一部分と一体型モータ３０３との間に配置されて、リード線３０４，３０５の少なくとも一部分が一体型モータ３０３に近付くのを阻止する。
【００９３】
このように電動工具３０１では、リブ３２１，３２２が、リード線３０４，３０５の少なくとも一部分が一体型モータ３０３に近付くのを阻止する。これにより、電動工具３０１は、電磁ノイズを吸収する部品を用いることなく、電動工具３０１からの電磁ノイズの放出を低減することができる。
【００９４】
以上説明した実施形態において、一体型モータ３０３はノイズ源に相当し、リブ３２１，３２２は阻止部に相当する。
（第１２実施形態）
以下に本開示の第１２実施形態を図面とともに説明する。
【００９５】
第１２実施形態の電動工具３５１は、図１６に示すように、本体ハウジング３５２と、カーボンブラシ付きモータ３５３と、リード線３５４，３５５とを備える。
本体ハウジング３５２は、電動工具３５１の外郭を形成している。そして本体ハウジング３５２は、受け側ハウジング３６１と、被せ側ハウジングとにより形成される。すなわち、本体ハウジング３５２は、受け側ハウジング３６１に対して被せ側ハウジングを被せるようにして嵌め合わせることにより、カーボンブラシ付きモータ３５３およびリード線３５４，３５５を内部に収容する。なお、図１６は、受け側ハウジング３６１を示しているが被せ側ハウジングを示していない。
【００９６】
カーボンブラシ付きモータ３５３は、図示しないバッテリパックからの電源供給を受けて回転して、図示しない先端工具を駆動させる駆動力を発生させる。カーボンブラシ付きモータ３５３は、カーボンブラシ３６６とコミュテータ３６７とを備える。カーボンブラシ付きモータ３５３は、カーボンブラシ３６６とコミュテータ３６７との間で発生する整流火花によって電磁ノイズを放出する。すなわち、カーボンブラシ３６６およびコミュテータ３６７はノイズ源である。
【００９７】
リード線３５４は、一端がカーボンブラシ付きモータ３５３の＋端子に接続される。リード線３５５は、一端がカーボンブラシ付きモータ３５３の−端子に接続される。
受け側ハウジング３６１は、受け側ハウジング３６１の内壁から突出するように形成されたリブ３７１，３７２を備える。リブ３７１，３７２は、リブ３７１とリブ３７２との間にカーボンブラシ３６６およびコミュテータ３６７が位置するように設置される。
【００９８】
このように構成された電動工具３５１は、カーボンブラシ３６６およびコミュテータ３６７と、リード線３５４，３５５と、リブ３７１，３７２とを備える。カーボンブラシ３６６およびコミュテータ３６７は、電磁ノイズを放出する。リード線３５４，３５５は、電気エネルギーを伝送するように構成される。リブ３７１，３７２は、リード線３５４，３５５の少なくとも一部分とカーボンブラシ３６６およびコミュテータ３６７との間に配置されて、リード線３５４，３５５の少なくとも一部分がカーボンブラシ３６６およびコミュテータ３６７に近付くのを阻止する。
【００９９】
このように電動工具３５１では、リブ３７１，３７２が、リード線３５４，３５５の少なくとも一部分がカーボンブラシ３６６およびコミュテータ３６７に近付くのを阻止する。これにより、電動工具３５１は、電磁ノイズを吸収する部品を用いることなく、電動工具２５１からの電磁ノイズの放出を低減することができる。
【０１００】
以上説明した実施形態において、カーボンブラシ３６６およびコミュテータ３６７はノイズ源に相当し、リブ３７１，３７２は阻止部に相当する。
（第１３実施形態）
以下に本開示の第１３実施形態を図面とともに説明する。なお第１３実施形態では、第１１実施形態と異なる部分を説明する。共通する構成については同一の符号を付す。
【０１０１】
第１３実施形態の電動工具３０１は、リブ３２１，３２２を省略した点と、スペーサ３２６を追加した点とが第１１実施形態と異なる。
スペーサ３２６は、図１７および図１８に示すように、円筒状に形成された部材であり、内部に一体型モータ３０３の金属ケース３１６を収容する。
【０１０２】
このように構成された電動工具３０１は、一体型モータ３０３と、リード線３０４，３０５と、スペーサ３２６とを備える。一体型モータ３０３は、電磁ノイズを放出する。リード線３０４，３０５は、電気エネルギーを伝送するように構成される。スペーサ３２６は、リード線３０４，３０５の少なくとも一部分と一体型モータ３０３との間に配置されて、リード線３０４，３０５の少なくとも一部分が一体型モータ３０３に近付くのを阻止する。
【０１０３】
このように電動工具３０１では、スペーサ３２６が、リード線３０４，３０５の少なくとも一部分が一体型モータ３０３に近付くのを阻止する。これにより、電動工具３０１は、電磁ノイズを吸収する部品を用いることなく、電動工具３０１からの電磁ノイズの放出を低減することができる。
【０１０４】
以上説明した実施形態において、スペーサ３２６は阻止部に相当する。
以上、本開示の一実施形態について説明したが、本開示は上記実施形態に限定されるものではなく、種々変形して実施することができる。
【０１０５】
例えば上記第１，２，３実施形態では、被せ側ハウジングの内壁から突出するように形成されたリブを備える形態を示した。しかし、リブの代わりに、スポンジなどの別部材を被せ側ハウジングに貼り付けて、リード線がコントローラに接触するのを抑制するようにしてもよい。
【０１０６】
上記第２実施形態では、リブ７１においてリード線５８と接触している箇所が鋭角状に形成されている形態を示した。しかし、リブ７１においてリード線５８と接触している角の部分を丸くする（すなわち、Ｒをつける）ようにしてもよい。
【０１０７】
上記第７実施形態では、リード線５８がコントローラケース７７の裏側を通るようにする形態を示した。しかし、図１９および図２０に示すように、受け側ハウジング６１に近接した状態でコントローラ５６が配置されている場合には、コントローラ５６と受け側ハウジング６１との間（すなわち、コントローラ５６の裏側）にリード線５８を配置することができない。このため、リード線５８は、コントローラ５６の表面側に配置されている。この場合には、電動工具５１は、リブ７９を備えるようにしてもよい。リブ７９は、コントローラ５６の表面側において、コントローラ５６内に搭載されているマイコン５６ａと対向するように配置される。これにより、リブ７９は、コントローラ５６の付近に設置されているリード線５８がマイコン５６ａに接近するのを阻止することができる。
【０１０８】
このように構成された電動工具５１では、マイコン５６ａ、リード線５８およびリブ７９は、受け側ハウジング６１に設置され、リブ７９は、マイコン５６ａと対向するように配置される。これにより、電動工具５１は、リード線５８がマイコン５６ａに接近するのをリブ７９により阻止することができる。このため、電動工具５１は、電磁ノイズを吸収する部品を用いることなく、電動工具５１からの電磁ノイズの放出を低減することができる。なお、リブ７９は阻止部に相当する。
【０１０９】
上記第６実施形態では、金属または樹脂で形成されたスペーサ４１をコントローラ６の表面に貼りつける形態を示した。しかし、スペーサ４１の代わりに、ノイズ抑制シートを貼り付けるようにしてもよい。また、図２１に示すように、リード線８の周囲にチューブ等のスペーサ４５を巻き付けて、リード線８の心線とコントローラ６との間の距離を確保するようにしてもよい。このように構成された電動工具１では、スペーサ４５は、リード線８の周囲を被覆している。これにより、電動工具１は、スペーサ４５によって、マイコン６ａとリード線８とが隔てられているようにリード線８を配置することができる。このため、電動工具１は、電磁ノイズを吸収する部品を用いることなく、電動工具１からの電磁ノイズの放出を低減することができる。なお、スペーサ４５は位置決め部に相当する。
【０１１０】
また、リード線に金属箔を巻いて、ノイズ源からのノイズをシールドするようにしてもよい。さらに、金属箔を、ギアハウジング等の金属部、マイナス端子、および、コントローラのグランド等に接続することで、シールドを強化するようにしてもよい。
本開示の技術は、例えば電動ハンマ、電動ハンマドリル、電動ドリル、電動ドライバ、電動レンチ、電動グラインダ、電動マルノコ、電動レシプロソー、電動ジグソー、電動カッター、電動チェンソー、電動カンナ、電動釘打ち機（鋲打ち機を含む）、電動ヘッジトリマ、電動芝刈り機、電動芝生バリカン、電動刈払機、電動クリーナ、電動ブロア、電動噴霧器、電動散布機、電動集塵機といった各種電動工具に適用することができる。
上記実施形態では、ノイズ源がマイコンまたはモータである形態を示したが、ノイズ源がスイッチング電源、モータのドライブ回路（インバータ）等であってもよい。
【０１１１】
上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加または置換してもよい。
【符号の説明】
【０１１２】
１，５１，１０１，２０１，２５１，３０１，３５１…電動工具、６ａ，５６ａ，１３１…マイコン、２１，７１，７３，７５，７９，１２１，２２４，２２５，２７５，２７６，３２１，３２２，３７１，３７２…リブ、４１，４３，４５，３２６…スペーサ、２０４，３０３…一体型モータ、２６６，３６６…カーボンブラシ、２６７，３６７…コミュテータ
【図１】
2020138285.tif 000003
【図２】
2020138285.tif 000004
【図３】
2020138285.tif 000005
【図４】
2020138285.tif 000006
【図５】
2020138285.tif 000007
【図６】
2020138285.tif 000008
【図７】
2020138285.tif 000009
【図８】
2020138285.tif 000010
【図９】
2020138285.tif 000011
【図１０】
2020138285.tif 000012
【図１１】
2020138285.tif 000013
【図１２】
2020138285.tif 000014
【図１３】
2020138285.tif 000015
【図１４】
2020138285.tif 000016
【図１５】
2020138285.tif 000017
【図１６】
2020138285.tif 000018
【図１７】
2020138285.tif 000019
【図１８】
2020138285.tif 000020
【図１９】
2020138285.tif 000021
【図２０】
2020138285.tif 000022
【図２１】
2020138285.tif 000023